(57)【要約】【課題】この発明は、屋根構造躯体を損傷することなく軒先下地を仮保持し、また、仮保持後に容易に取外すことができる、軒先下地を仮保持するための軒先下地材の仮保持具に関する。【解決手段】本発明に係る軒先下地の仮保持具１は、屋根構造躯体２の軒先端部に取付けられ該軒先を構成する軒先下地３を仮保持するための軒先下地３の仮保持具１であって、前記屋根構造躯体２の軒先端部に上方から外嵌可能な略Ｕ字型の取付部材４と、該取付部材４に着脱自在に取付けられる略Ｌ字型の保持部材５と、を具備し、前記保持部材５は、該保持部材５と前記屋根構造躯体２の軒先端面２ａとで、上方から前記軒先下地３を仮保持可能な略Ｕ字型の仮保持空間部６を形成するように前記取付部材４に着脱自在に取付けられているものである。【選択図】図４
2009127396.tif 000002
【特許請求の範囲】
【請求項１】
屋根構造躯体の軒先端部に上方から差込み外嵌可能な２つの挟持片を有する略Ｕ字型の取付部材と、
該取付部材の２つの挟持片に形成された差込溝にその先端部に形成した係合溝が差込み自在な差込片とこの差込片と直角に折れ曲った係止片とからなる略Ｌ字型の保持部材と、を具備し、
該保持部材の係止片には前記差込片に支持される軒先下地を前記屋根構造躯体の軒先端面に固定するネジのネジ頭よりも大径のネジ孔が設けられていることを特徴とする軒先下地の仮保持具。
【請求項２】
前記保持部材の係止片の中心付近には、前記屋根構造躯体の軒先端面の中心に前記軒先下地の端部を導く芯出し具を挿入可能な挿入孔が形成されていることを特徴とする請求項１記載の軒先下地の仮保持具。
【発明の詳細な説明】
【技術分野】
【０００１】
この発明は、屋根構造躯体の軒先端部に取付けられ該軒先を構成する軒先下地を仮保持するための軒先下地材の仮保持具に関する。
【背景技術】
【０００２】
住宅等の屋根の軒先を施工する際には、住宅内に雨や風等の浸入を防止するために、該軒先の端部に破風板や鼻隠し等の軒先下地材を取付ける必要がある。この際には、一般的に母屋や垂木等の屋根構造躯体に前述の軒先下地材をネジ等で固定している。しかし、これらの屋根構造躯体に、軒先下地材を取付ける際には、一方の手で該軒先下地材を支えながら、他方の手でネジを打つことになる。さらに、屋根構造躯体と軒先下地材との固定レベルを合わせるために微調整が必要である。そのため、前述の作業を一人で行うのは困難であり、また、作業を一人で行った場合には作業者が転落したり、作業に手間取り工具や軒先下地等を落下させる可能性があり、大変危険である。従って、屋根構造躯体に軒先下地を固定する際には、通常二人で作業を行う必要があるため、作業効率の低下を招くという問題が生じる。これらの問題を解決するために、以下のように軒先下地材を屋根構造躯体に仮保持させることで該軒先下地材の固定作業を一人で行うことができる建築用材の仮保持具が考案されている。
【０００３】
この建築用材の仮保持具１００は、図１３に示すように、略コ字形の嵌合部１０１と、該嵌合部１０１に設けられた脱落防止用の突片部１０２と、該嵌合部１０１の側方に張り出す状態でこの嵌合部１０１に一体に設けた保持部１０３とを有する。そして、嵌合部１０１にはねじ孔１０４があり、このねじ孔１０４に先鋭状の固定用ボルト１０５が設けられ、嵌合部１０１を母屋１０６の端部に嵌合して固定用ボルト１０５をねじ込み、保持部１０３に破風板１０７を嵌合して保持させるものである（例えば、特許文献１）。
【０００４】
【特許文献１】実開平０７−１３９９７号公報
【発明の開示】
【発明が解決しようとする課題】
【０００５】
しかし、前述の建築用材の仮保持具１００では、母屋１０６に仮保持具１００本体を固定する際に、固定ボルト１０５をネジ孔１０４にねじ込むことで該母屋１０６に傷が付くという問題が生じる。また、破風板１０７を母屋１０６に固定後、仮保持具１００を取外す際には突片部１０２が妨げとなり該仮保持具１００を容易に取外すことができないという問題がある。
【０００６】
この発明は上記のような種々の課題を解決することを目的としてなされたものであって、屋根構造躯体を損傷することなく軒先下地を仮保持し、また、仮保持後に容易に取外すことができる、軒先下地を仮保持するための軒先下地材の仮保持具に関する。
【課題を解決するための手段】
【０００７】
上記目的を達成するために、請求項１記載の軒先下地材の仮保持具は、屋根構造躯体の軒先端部に上方から差込み外嵌可能な２つの挟持片を有する略Ｕ字型の取付部材と、該取付部材の２つの挟持片に形成された差込溝にその先端部に形成した係合溝が差込み自在な差込片とこの差込片と直角に折れ曲った係止片とからなる略Ｌ字型の保持部材と、を具備し、該保持部材の係止片には前記差込片に支持される軒先下地を前記屋根構造躯体の軒先端面に固定するネジのネジ頭よりも大径のネジ孔が設けられていることを特徴としている。
【０００８】
請求項２記載の軒先下地材の仮保持具は、前記保持部材の係止片の中心付近には、前記屋根構造躯体の軒先端面の中心に前記軒先下地の端部を導く芯出し具を挿入可能な挿入孔が形成されていることを特徴としている。
【発明の効果】
【０００９】
請求項１記載の軒先下地材の仮保持具によれば、取付部材が略Ｕ字型であるので、該取付部材を母屋や垂木等の屋根構造躯体に取付ける際にも、これらの上方から該取付部材を差込み外嵌させるだけでよく取付けが容易であり、さらに、屋根構造躯体を損傷させることがないという利点がある。また、保持部材は取付部材に着脱自在に取付けられ、さらに、取付部材の挟持片にはそれぞれ差込溝が形成され、保持部材の差込片には差込溝にそれぞれ挿入可能な係合溝が形成されている。
【００１０】
そのため、軒先下地が仮保持される際には、主に保持部材の差込片に該軒先下地の負荷が作用するので、前記差込溝と前記係合溝とが、より一層噛み合い、取付部材から保持部材が容易に脱落することがない。また、加えて取付部材に保持部材を取付ける際には、差込溝に係合溝を挿入するだけでよい。そして、取付部材から保持部材を取外す際には差込溝から係合溝を引抜き、さらに、該取付部材を屋根構造躯体の上方に引抜き取外すだけで仮保持具を取外すことができる。そのため、仮保持具の取付けだけでなく取外しも容易なので、屋根構造躯体への軒先下地の取付け作業を一人で行うことができ、効率的である。
【００１１】
従って、軒先下地を屋根構造躯体に容易に仮保持させることができるので、該軒先下地をネジ等で該屋根構造躯体に固定する作業や、該軒先下地と該屋根構造躯体の固定レベルを微調整する作業等を一人で行うことができ、作業効率を向上させることができる。また、保持部材に取付部材を取付ける際には係合溝へ差込溝を挿入する程度を調整することで軒先下地材の厚さの変化にも対応することができるという利点もある。
【００１２】
そして、保持部材の係止片には、軒先下地を屋根構造躯体の軒先端面に固定する際に使用されるネジのネジ頭の径よりも大径となるように形成されたネジ孔が設けられている。これにより、軒先下地を仮保持具に仮保持させた状態で該軒先下地を屋根構造躯体にネジ固定することができる。さらに、ネジ孔はネジ頭よりも大径となるように形成されているので、前述のように軒先下地をネジ固定した後でも取付部材から保持部材を容易に取外すことができるという利点がある。
【００１３】
軒先下地をネジ固定する際には、予め保持部材の係止片に形成されたネジ孔にネジを打ち込むだけでよいので、何れの作業者がこの作業を行っても同様の位置にネジを打ち込むことができ、断熱性能や防水性能等の品質を安定化することができる。また、例えば断面ロの字型の鋼製の母屋等を使用した場合には、該母屋の軒先端部にネジ孔が形成されたエンドキャップ等を設ける。この場合に、保持部材の係止片に形成されたネジ孔とエンドキャップに形成されたネジ孔との位置を合わせておけば、軒先下地の外側からでも容易にネジ固定することができる。
【００１４】
請求項２記載の軒先下地材の仮保持具によれば、前記保持部材の係止片の中心付近には、前記屋根構造躯体の軒先端面の中心に前記軒先下地の端部を導く芯出し具を挿入可能な挿入孔が形成されている。これにより、軒先下地の端部を芯出し具に当接させるだけで容易に屋根構造躯体の略中心で軒先下地を継足すことができるので煩雑な位置合わせの工程を省略することができると共に、断熱性能や防水性能等の品質を安定化することができる。
【発明を実施するための最良の形態】
【００１５】
この発明における軒先下地の仮保持具の最良の実施形態について、以下に説明する。本発明に係る軒先下地の仮保持具１は、図７に示すように、屋根構造躯体２の軒先端部に取付けられ該軒先を構成する軒先下地３を仮保持するための仮保持具１であって、図２に示すように、前記屋根構造躯体２の軒先端部に上方から差込み外嵌可能な略Ｕ字型の取付部材４と、該取付部材４に着脱自在に取付けられる略Ｌ字型の保持部材５と、を具備し、図５に示すように、前記保持部材５は、該保持部材５と前記屋根構造躯体２の軒先端面２ａとで、上方から前記軒先下地３を仮保持可能な略Ｕ字型の仮保持空間部６を形成するように前記取付部材４に着脱自在に取付けられているものである。
【００１６】
前記屋根構造躯体２は、図１２に示すように、住宅等の屋根７を構成し、小屋束８等の他の構造躯体に固定された母屋２ｂや垂木２ｃ等である。そして、前記軒先下地３は、図７に示すように、母屋２ｂ等の屋根構造躯体２に固定され住宅内に雨や風等の浸入を防止する破風板３ａや、垂木２ｃ等の屋根構造躯体２に固定され住宅内に雨や風等の浸入を防止する鼻隠し３ｂである。また、これらの屋根構造躯体２や軒先下地３は木製のものを始め、鋼製の材料も使用するすることができ、これらの形状も目的に応じて適宜変更することができる。
【００１７】
前記取付部材４は、図１に示すように、屋根構造躯体２の軒先端部に上方から差込み外嵌可能となるように、例えば、薄板状の鋼製の部材を折り曲げる等して略Ｕ字型に形成されている。そして、取付部材４は連結片４ａと、該連結片４ａの両端部から略垂直に立ち上がるようにしてそれぞれ設けられた２つの挟持片４ｂとから形成されている。連結片４ａの幅、すなわち、両挟持片４ｂ間の長さは、図２に示すように、母屋２ｂや垂木２ｃ等の屋根構造躯体２の幅と略同等の長さとなるように形成されていることが好ましく、これにより取付部材４の挟持片４ｂと屋根構造躯体２の側面２ｄとの間に隙間が生じることがなく、屋根構造躯体２に確実に取付けることができる。また、挟持片４ｂの高さは、図２に示すように、母屋２ｂや垂木２ｃ等の屋根構造躯体２の高さよりも長く形成されていることが好ましく、これにより屋根構造躯体２の側面２ｄをその高さ方向に渡って確実に保持することができる。
【００１８】
さらに、挟持片４ｂには、図１に示すように、それぞれ差込溝４ｃが形成されている。差込溝４ｃは、挟持片４ｂの一辺側の、連結片４ａから屋根構造躯体２の高さと略同等の位置から他辺側に切欠かれた一部が、軒先側となるようにして形成されている。これにより、図５に示すように、軒先下地２を取付部材４と保持部材５の差込片５ａとで屋根構造躯体２の上下左右を囲むようにして、該屋根構造躯体２に確実に保持することができる。また、差込溝４ｃの幅は、後述する保持部材５の差込片５ａの肉厚と略同等に形成されている。そして、取付部材４は、本実施形態の形状や材料に限定されるものではなく、硬質の樹脂等から形成されていてもよく、目的に応じて適宜変更することができる。
【００１９】
前記保持部材５は、図１に示すように、鋼製の薄板状の部材を折り曲げる等して略Ｌ字型に形成されている。そして、保持部材５は、取付部材４に取付けられる差込片５ａと、該差込片５ａの一端部から略垂直に立ち上がり、ネジ孔５ｂと中心孔５ｃとが設けられた係止片５ｄとから形成されている。尚、差込片５ａの幅は、母屋２ａや垂木２ｃ等の屋根構造躯体２の幅よりも若干長く形成されている。
【００２０】
また、差込片５ａの先端部には、図１に示すように、取付部材４のそれぞれの差込溝４ｃと対応する位置の一部が切欠かれて係合溝５ｅが形成されている。そして、係合溝５ｅの幅は、取付部材４の挟持片４ｂの肉厚と略同等に形成されているので、該係合溝５ｅに差込溝４ｃを経て該取付部材４の挟持片４ｂが挿入され、確実に取付部材４と保持部材５とが連結される。
【００２１】
係止片５ｄには、図４に示すように、仮保持空間部６に仮保持された軒先下地３をネジ９で固定する際に使用されるネジ孔５ｂが形成されている。ネジ孔５ｂは、図５に示すように、使用されるネジ９のネジ頭９ａの径よりも大径となるように形成されているので、軒先下地３を仮保持空間部６に挿入した状態で該軒先下地３だけを屋根構造躯体２の軒先端面２ａにネジ固定することができる。さらに、前述のように軒先下地３をネジ固定した後でも取付部材４から保持部材５を容易に取外すことができる。
【００２２】
また、図１０に示すように、断面ロの字型の鋼製の母屋２ｂ等を使用した場合には、該母屋２ｂの軒先端部に、ネジ孔１０ａが形成されたエンドキャップ１０等が溶接やネジ等の周知の方法で取付けられ、該エンドキャップ１０と母屋２ｂとで屋根構造躯体２を形成している。この場合に、保持部材５の係止片５ｄに形成されたネジ孔５ｂとエンドキャップ１０に形成されたネジ孔１０ａとの位置を合わせておけば、図１１に示すように、軒先下地３の外側からでも容易にネジ固定することができる。尚、これらのネジ孔５ｂの大きさは使用するネジ９のネジ頭９ａの大きさに応じて適宜変更することができ、さらに、該ネジ孔５ｂの位置や数等も目的応じて適宜変更することができる。
【００２３】
また、図３に示すように、保持部材５の係止片５ｄの中心付近には後述する芯出し具１１を挿入可能な中心孔５ｃが形成されており、さらに、該中心孔５ｃは保持部材５を取付部材４に取付けた際に、該中心孔５ｃが屋根構造躯体２の幅方向の中心と対向するように形成されている。尚、中心孔５ｃは単に係止片５ｄの肉厚を貫通するように形成されていてもよいが、該中心孔５ｃの内周面にネジ溝５ｆが形成されていることが好ましい。また、保持部材５は、本実施形態の形状や材料に限定されるものではなく、硬質の樹脂等から形成されていてもよく、目的に応じて適宜変更することができる。
【００２４】
前記芯出し具１１は、屋根構造躯体２の軒先端面２ａの幅方向の中心に軒先下地３の端部を導く部材である。また、芯出し具１１は、一端部につまみ１１ａが形成され、該つまみ１１ａから伸びる軸部１１ｂにはネジ山１１ｃが形成されていることが好ましく、これにより、ドライバ等の工具を必要としない。そして、該芯出し具１１を内周面にネジ溝５ｆが形成された中心孔５ｃにねじ込み、挿入した後は、該芯出し具１１が容易に引抜けることがない。これらの実施形態は一例であり、軸部１１ｂのネジ山１１ｃ、及びつまみ１１ａが形成されていなくてもよく、目的に応じて適宜変更することができる。
【００２５】
以上のように形成される取付部材４と保持部材５とを具備する軒先下地３の仮保持具１の使用方法について以下に説明する。
【００２６】
まず、図２に示すように、略Ｕ字型に形成された取付部材４を母屋２ｂや垂木２ｃ等の屋根構造躯体２の上方から外嵌するようにして、取付部材４を屋根構造躯体２に取付ける。そして、両挟持片４ｂに形成されている差込溝４ｃに係合溝５ｅを挿入するようにして取付部材４に保持部材５を取付ける。この際には、図５に示すように、差込溝４ｃには保持部材５の差込片５ａが、そして、係合溝５ｅには取付部材４の両挟持片４ｂが挿入され、該取付部材４と該保持部材５とが強固に連結される。これにより、保持部材５と屋根構造躯体２の軒先端面２ａとが略Ｕ字型の仮保持空間部６を形成し、この仮保持空間部６の内部に軒先下地を入れる。また、軒先下地３を、屋根構造躯体２と接する箇所で連結する場合には、図３に示すように、中心孔５ｃに芯出し具１１を挿入し、一方の軒先下地３の端部が該芯出し具１１と当接するように仮保持空間部６に挿入して仮保持する。そして、図４に示すように、ネジ９をネジ孔５ｂから軒先下地３を貫通して、さらに、屋根構造躯体２にねじ込んで、該屋根構造躯体２に該軒先下地３を固定する。
【００２７】
そして、一方の軒先下地３の端部が屋根構造躯体２に固定された状態で芯出し具１１を引抜き、該一方の軒先下地３の端部と他方の軒先下地３の端部とが接するように他方の軒先下地３を仮保持させ、図７に示すように、前述と同様にして他方の軒先下地３もネジ固定する。これ以外にも、図６に示すように、軒先下地３を連結することなく仮保持させた状態で、ネジ孔５ｂからネジ９をねじ込み軒先下地３を屋根構造躯体２の軒先端面２ａに取付けることができるのは勿論である。
【００２８】
上述のようにして、屋根構造躯体２に軒先下地３が固定された後は仮保持具１は必要なくなるので、該仮保持具１を該屋根構造躯体２から取外す。この際には、図８に示すように、まず、保持部材５を取付部材４から引抜き、そして、取付部材４を屋根構造躯体２の上方に引上げるようにして取外せばよい。このようにして、図９に示すように、屋根構造躯体２に軒先下地３を取付けることができる。また、上述の仮保持具１の使用方法は一例であり作業手順は適宜変更することができるのは勿論である。
【００２９】
以上のような軒先下地３の仮保持具１は、図１２に示す母屋２ｂや垂木２ｃ等の屋根構造躯体２の軒先端部に取付けられる破風板３ａや鼻隠し３ｂ等の軒先下地３を屋根構造躯体２を損傷することなく仮保持できることは勿論であり、さらに、仮保持具１の取付け、及び取外しを容易に行うことができる。そのため、屋根構造躯体２へ軒先下地３を取付ける作業を一人で、且つ、容易に行うことができるので、作業効率の向上に大きく貢献することができる。特に、切妻屋根を構成する母屋２ｂに対しては、施工の際に組まれる足場が階段状になっており、作業に伴う危険が大きくなるので仮保持具１をより好適に使用することができる。
【産業上の利用可能性】
【００３０】
本発明に係る軒先下地３の仮保持具１は、屋根７の施工の際だけでなく、床等の施工の際にも使用することができる。
【図面の簡単な説明】
【００３１】
【図１】本実施形態に係る軒先下地の仮保持具の全体斜視図
【図２】取付部材を屋根構造躯体に取付ける状態を示す斜視図
【図３】屋根構造躯体の中心に軒先下地を仮保持させる状態を示す斜視図
【図４】屋根構造躯体の中心に仮保持した軒先下地をネジ固定する状態を示す斜視図
【図５】図４の側面図
【図６】仮保持した軒先下地をネジ固定する状態を示す斜視図
【図７】屋根構造躯体の中心で軒先下地が継足された状態を示す斜視図
【図８】屋根構造躯体に取付けられた仮保持具を取外す状態を示す斜視図
【図９】屋根構造躯体に軒先下地が取付けられた状態を示す斜視図
【図１０】他の実施形態に係る屋根構造躯体を使用した場合における仮保持具の取付け方法を示す斜視図
【図１１】他の実施形態に係る屋根構造躯体を使用した場合において軒先下地がネジ固定された状態を示す斜視図
【図１２】屋根構造躯体の全体斜視図
【図１３】従来技術を示す図
【符号の説明】
【００３２】
１                仮保持具
２（２ｂ、２ｃ）  屋根構造躯体（母屋、垂木）
２ａ              軒先端面
２ｄ              側面
３（３ａ、３ｂ）  軒先下地（破風板、鼻隠し）
４                取付部材
４ａ              連結片
４ｂ              挟持片
４ｃ              差込溝
５                保持部材
５ａ              差込片
５ｂ              ネジ孔
５ｃ              中心孔
５ｄ              係止片
５ｅ              係合溝
９                ネジ
１１              芯出し具
【図１】
2009127396.tif 000003
【図２】
2009127396.tif 000004
【図３】
2009127396.tif 000005
【図４】
2009127396.tif 000006
【図５】
2009127396.tif 000007
【図６】
2009127396.tif 000008
【図７】
2009127396.tif 000009
【図８】
2009127396.tif 000010
【図９】
2009127396.tif 000011
【図１０】
2009127396.tif 000012
【図１１】
2009127396.tif 000013
【図１２】
2009127396.tif 000014
【図１３】
2009127396.tif 000015